(57)【要約】【課題】  倉庫に納められているような電源遮断の状態でも、機器への情報設定・追加または機器からの情報を得ることができる機器制御装置および適正な代金を得ることができる機器制御のプログラムを販売するビジネスシステムを得る。【解決手段】  情報を記憶する記憶部７、情報連携の処理を行う通信部８、および非接触で情報連携処理を行うコイル９を有する電子タグ２と、機器を制御する機器制御部６、電子タグと非接触で情報連携する非接触通信部５を有する機器制御基板３と、電子タグを機器制御基板に装着するための電子タグ装着手段１０とを備え、電子タグ２を電子タグ装着手段１０により機器制御基板３に装着し、非接触通信部５によって電子タグ２と情報連携する。【選択図】    図１
2005157627.tif 000002
【特許請求の範囲】
【請求項１】
機器を制御する機器制御装置において、
情報を記憶する記憶部、情報連携の処理を行う通信部、および非接触で情報連携処理を行うコイルを有する電子タグと、
機器を制御する機器制御部、前記電子タグと非接触で情報連携する非接触通信部を有する機器制御基板と、
前記電子タグを前記機器制御基板に装着するための電子タグ装着手段と、を備え、
前記電子タグを電子タグ装着手段により前記機器制御基板に装着し、非接触通信部によって前記電子タグと情報連携することを特徴とする機器制御装置。
【請求項２】
電子タグに非接触で給電すると同時に情報連携する非接触通信部、電子タグへ送信するデータまたはプログラムを記憶するとともに電子タグから得た機器制御基板の情報を記憶する情報部を有する携帯端末を、更に備えたことを特徴とする請求項１記載の機器制御装置。
【請求項３】
所定の機器制御情報を記憶させた電子タグを単品で販売可能としたことを特徴とする請求項１記載の機器制御装置のビジネスシステム。
【発明の詳細な説明】
【技術分野】
【０００１】
この発明は、機器を制御する機器制御装置およびそのビジネスシステムに関するものである。
【背景技術】
【０００２】
従来の機器制御装置においては、記憶装置、制御装置、電源装置、送信装置からなる送信ユニットが機器制御基板と有線接続され、情報連携し、通信ユニットは通信装置を介してデータ端末と情報連携している（例えば、特許文献１参照）。
また、場所に関係なく、所望する物品に関する情報を容易に取得可能にしたタグ管理サーバとこれを用いた情報の取得・活用システムであって、電子タグは商品に装着され、携帯端末により電子タグ情報が読み取られ、商品管理サーバにて管理されるものがある（例えば、特許文献２参照）。
【０００３】
【特許文献１】特開２００３−１２６５０１号公報
【特許文献２】特開２００３−１５７４７７号公報
【発明の開示】
【発明が解決しようとする課題】
【０００４】
従来の機器制御装置は、上記のように構成されていたので、以下のような課題があった。
機器制御基板と情報連携する通信ユニットと情報連携する場合、機器制御基板の情報を得ることが可能であるが、通信ユニットには電源が必要なため、例えば倉庫に納められ梱包されている状態や電源が遮断されている状態では情報連携することはできなかった。また通信ユニットを介して顧客が希望する制御プログラムをダウンロードする場合、制御プログラム媒体の管理が困難で、自由にコピーされるため、適正な代金を得ることが難しかった。
また、特許文献２記載のように、商品に装着された電子タグと情報連携する場合は、電源が遮断されている状態でも情報連携は可能であるが、電子タグは商品自体とは情報連携しないため、商品が運転中に得た情報等は電子タグを介しては得られないという問題点があった。また、電子タグに情報を注入しても商品はその情報を利用することはできないという欠点があった。
【０００５】
この発明は上記のような課題を解決するためになされたもので、倉庫に納められているような電源遮断の状態でも、機器への情報設定・追加または機器からの情報を得ることができる機器制御装置および適正な代金を得ることができる機器制御のプログラムを販売するビジネスシステムを得ることを目的としている。
【課題を解決するための手段】
【０００６】
この発明における機器制御装置においては、情報を記憶する記憶部、情報連携の処理を行う通信部、および非接触で情報連携処理を行うコイルを有する電子タグと、機器を制御する機器制御部、電子タグと非接触で情報連携する非接触通信部を有する機器制御基板と、電子タグを機器制御基板に装着するための電子タグ装着手段とを備え、電子タグを電子タグ装着手段により機器制御基板に装着し、非接触通信部によって電子タグと情報連携するようにしたものである。
【発明の効果】
【０００７】
この発明は、倉庫に納められているような電源遮断の状態でも、電子タグのみへ非接触で給電すれば情報連携できるので、機器への情報設定・追加が容易であり、在庫は標準品のみで出荷時や据付時等流通経路で受注品に変更することができ、在庫の削減や迅速な受注対応に効果がある。また、非接触での給電および情報連携する機器制御基板と電子タグの距離は短いので電磁波のロスが少なく低コストで実現できる。更に電子タグを取り替えるだけで大容量メモリや、新制御プログラムに容易に変更できる。また、ＩＣチップ内でブラックボックス化しているので、不正コピーは困難であり、電子タグ単体の販売は機器制御のプログラム販売において適正な代金を得られる効果がある。
【発明を実施するための最良の形態】
【０００８】
実施の形態１．
以下、この発明の実施の形態１を図に基づいて詳細説明する。
図１はこの発明の実施の形態に係る機器制御装置の構成を示すブロック図である。
図１において、１は機器制御装置、２は機器制御装置１に設けられた電子タグ、３は機器制御基板、４は機器、５は機器制御基板３に設けられた非接触通信部Ａ、６は機器制御基板３に設けられた機器制御部、７は電子タグ２に設けられた記憶部、８は電子タグ２に設けられた通信部、９は電子タグ２に設けられたコイル、１０は電子タグ装着手段、２０は携帯端末、２１は携帯端末２０に設けられた非接触通信部Ｂ、２２は携帯端末２０に設けられた情報部である。
電子タグ２は、情報を記憶する記憶部７と、機器制御基板３または情報部２２とコイル９を介して非接触で電源の受電と情報連携処理を行なう通信部８とから構成されている。機器制御基板３は、電子タグ２に非接触で給電すると同時に情報連携する非接触通信部Ａ５と機器４を制御する機器制御部６とから構成されている。電子タグ２は電子タグ装着手段１０により機器制御基板３に装着され、電子タグ２の記憶部７に記憶されたデータまたはプログラムを機器制御部６は読み出して実行するとともに、機器制御部６の持つ情報を電子タグ２の記憶部７へ書き込む。携帯端末２０は、電子タグ２に非接触で給電すると同時に情報連携する非接触通信部Ｂ２１と、電子タグ２へ送信するデータまたはプログラムを記憶するとともに、電子タグ２から得た機器制御基板３の情報を記憶する情報部２２とから構成されている。
【０００９】
以上のように、この発明の実施の形態１によれば、倉庫に納められているような電源遮断の状態でも、電子タグのみへ非接触で給電すれば情報連携できるので、機器への情報設定・追加が容易であり、在庫は標準品のみで出荷時や据付時等通流経路で受注品に変更することができ、在庫の削減や迅速な受注対応に効果がある。また、非接触での給電および情報連携する機器制御基板と電子タグは、電子タグ装着手段により短い距離に装着できるので、電磁波のロスが少なく低コストで実現できる。更に電子タグを取り替えるだけで大容量メモリや、新制御プログラムに容易に変更できる。
【００１０】
実施の形態２．
図２はこの発明の実施の形態２に係る機器制御装置のビジネスシステムを示すブロック図である。
電子タグ２は、顧客が所望する機器を制御するプログラムや制御に必要なデータが記憶されている。または電子タグ２は、顧客が所望する記憶容量を備えており、電子タグ装着手段１０とともに販売されるものである。そして、機器制御基板３へ電子タグ装着手段１０により装着される。
【００１１】
この実施の形態２によれば、ＩＣチップ内でブラックボックス化しているので、不正コピーは困難であり、電子タグ単体の販売は機器制御のプログラム販売において適正な代金を得られる効果がある。
【図面の簡単な説明】
【００１２】
【図１】この発明の実施の形態１に係る機器制御装置の構成を示すブロック図である。
【図２】この発明の実施の形態２に係る機器制御装置のビジネスシステムを示すブロック図である。
【符号の説明】
【００１３】
１  機器制御装置
２  電子タグ
３  機器制御基板
４  機器
５  非接触通信部Ａ
６  機器制御部
７  記憶部
８  通信部
９  コイル
１０  電子タグ装着手段
２０  携帯端末
２１  非接触通信部Ｂ
２２  情報部    
【図１】
2005157627.tif 000003
【図２】
2005157627.tif 000004